【手続補正書】
【提出日】平成18年2月28日(2006.2.28)
【手続補正１】
【補正対象書類名】明細書
【補正対象項目名】特許請求の範囲
【補正方法】変更
【補正の内容】
【特許請求の範囲】
【請求項１】  次の式（Ｉ）
【化１】
2000204079.tif 000001
の化合物またはその医薬的に許容し得る塩またはそのＣ1-7エステル。
上記式において、
Ｗは、ＯＲ1、ＮＲ2ＯＲ1、ＮＲAＲB、ＮＲ2ＮＲAＲB、Ｏ(ＣＨ2)2-4ＮＲAＲB、またはＮＲ2(ＣＨ2)2-4ＮＲAＲBであり；
Ｒ1は、Ｈ、Ｃ1-8アルキル、Ｃ3-8アルケニル、Ｃ3-8アルキニル、Ｃ3-8シクロアルキル、フェニル、（フェニル）Ｃ1-4アルキル、（フェニル）Ｃ3-4アルケニル、（フェニル）Ｃ3-4アルキニル、（Ｃ3-8シクロアルキル）Ｃ1-4アルキル、（Ｃ3-8シクロアルキル）Ｃ3-4アルケニル、（Ｃ3-8シクロアルキル）Ｃ3-4アルキニル、Ｃ3-8複素環式基、（Ｃ3-8複素環式基）Ｃ1-4アルキル、（Ｃ3-8複素環式基）Ｃ3-4アルケニル、（Ｃ3-8複素環式基）Ｃ3-4アルキニルまたは(ＣＨ2)2-4ＮＲCＲDであり；
Ｒ2は、Ｈ、Ｃ1-4アルキル、フェニル、Ｃ3-6シクロアルキル、Ｃ3-6複素環式基または（Ｃ3-6シクロアルキル）メチルであり；
ＲAは、Ｈ、Ｃ1-6アルキル、Ｃ3-8アルケニル、Ｃ3-8アルキニル、Ｃ3-8シクロアルキル、フェニル、（Ｃ3-8シクロアルキル）Ｃ1-4アルキル、(Ｃ3-8シクロアルキル）Ｃ3-4アルケニル、（Ｃ3-8シクロアルキル）Ｃ3-4アルキニル、Ｃ3-8複素環式基、（Ｃ3-8複素環式基）Ｃ1-4アルキル、（アミノスルホニル）フェニル、〔（アミノスルホニル）フェニル〕Ｃ1-4アルキル、（アミノスルホニル）Ｃ1-6アルキル、（アミノスルホニル）Ｃ3-6シクロアルキル、〔（アミノスルホニル）Ｃ3-6シクロアルキル〕Ｃ1-4アルキルまたは(ＣＨ2)2-4ＮＲCＲDであり;
ＲBは、Ｈ、Ｃ1-8アルキル、Ｃ3-8アルケニル、Ｃ3-8アルキニル、Ｃ3-8シクロアルキルまたはフェニルであり；
Ｑは、次の式(i)〜(iii)
【化２】
2000204079.tif 000002
の１種であり；
Ｒ3は、ＨまたはＦであり；
Ｒ4は、ハロゲン、ＮＯ2、ＳＯ2ＮＲO(ＣＨ2)2-4ＮＲEＲF、ＳＯ2ＮＲEＲF、または(ＣＯ)Ｔであり；
Ｔは、Ｃ1-8アルキル、Ｃ3-8シクロアルキル、（ＮＲEＲF）Ｃ1-4アルキル、ＯＲF、−ＮＲO(ＣＨ2)2-4ＮＲEＲFまたはＮＲEＲFであり；
Ｚは、次の式(iv)〜(viii)
【化３】
2000204079.tif 000003
の１種であり；
Ｒ5およびＲ6の一方は、ＨまたはメチルでありそしてＲ5およびＲ6の他方は、Ｈ、Ｃ1-6アルキル、Ｃ2-6アルケニル、Ｃ2-6アルキニル、フェニル、ベンジルまたは−Ｍ−Ｅ−Ｇであり；
Ｍは、Ｏ、ＣＯ、ＳＯ2、ＮＲJ、(ＣＯ)ＮＲH、ＮＲH(ＣＯ)、ＮＲH(ＳＯ2)、(ＳＯ2)ＮＲH、またはＣＨ2であり；
Ｅは、(ＣＨ2)1-4または(ＣＨ2)mＯ(ＣＨ2)p〔１≦（ｍおよびｐのそれぞれ）≦３および２≦（ｍ＋ｐ）≦４〕であるか；またはＥは存在せず；
Ｇは、ＲK、ＯＲIまたはＮＲJＲKであり（但し、ｐ＝１である場合は、ＧはＨである）；
Ｒ7は、Ｈ、Ｃ1-4アルキル、Ｃ2-4アルケニル、Ｃ2-4アルキニル、Ｃ3-6シクロアルキル、フェニル、２−ピリジル、３−ピリジル、４−ピリジル、（ＣＨ2)1-2Ａｒ（式中、
Ａｒは、フェニル、２−ピリジル、３−ピリジルまたは４−ピリジルである）、ＳＯ2ＮＲH(ＣＨ2)2-4ＮＲJＲK、(ＣＯ)(ＣＨ2)2-4ＮＲJＲKまたは(ＣＯ)ＮＲH(ＣＨ2)2-4ＮＲJＲKであり；
Ｘ1は、Ｏ、Ｓ、ＮＲ8またはＣＨＲ9であり；Ｘ2は、Ｏ、ＳまたはＣＨＲ9であり；そしてＸ3は、ＯまたはＳであり；Ｘ1またはＸ2がＣＨＲ9である場合は、化合物は、また互変異性化インドールであることができ；
Ｒ8は、Ｈ、Ｃ1-4アルキル、フェニル、２−ピリジル、３−ピリジル、４−ピリジル、(ＣＨ2)1-2Ａｒ（式中、Ａｒは、フェニル、２−ピリジル、３−ピリジルまたは４−ピリジルである）、Ｃ2-4アルケニル、Ｃ2-4アルキニル、Ｃ3-6シクロアルキルまたは(Ｃ2-4アルキル)ＮＲLＲMであり；但し、ＲL、ＲM、ＲJおよびＲKを除いて、Ｒ7およびＲ8は一緒になって１４個以下の炭素原子を有し；
ＲGは、Ｃ1-4アルキル、フェニル、２−ピリジル、３−ピリジル、４−ピリジル、Ｃ3-4アルケニル、Ｃ3-4アルキニル、Ｃ3-6シクロアルキル、(ＣＯ)ＯＲP、（Ｃ2-4アルキル）ＮＲLＲM、(ＣＯ)ＮＲN(ＣＨ2)2-4ＮＲLＲM、(ＣＯ)ＮＲLＲM、(ＣＯ)(ＣＨ2)2-4−ＮＲLＲMまたは(ＣＨ2)1-2Ａｒ（式中、Ａｒは、フェニル、２−ピリジル、３−ピリジルまたは４−ピリジルである）であり；
Ｒ9は、Ｃ1-4アルキル、フェニル、２−ピリジル、３−ピリジル、４−ピリジル、Ｃ2-4アルケニル、Ｃ2-4アルキニル、Ｃ3-6シクロアルキル、(ＣＯ)ＯＲP、（Ｃ2-4アルキル）ＮＲLＲM、(ＣＯ)ＮＲN(ＣＨ2)2-4ＮＲLＲM、(ＣＯ)ＮＲLＲM、(ＣＯ)(ＣＨ2)2-4−ＮＲLＲM、または(ＣＨ2)1-2Ａｒ′（式中、Ａｒ′はフェニル、２−ピリジル、３−ピリジルまたは４−ピリジルである）であり；
ＲPは、Ｈ、Ｃ1-6アルキル、フェニル、Ｃ3-4アルケニル、Ｃ3-4アルキニル、Ｃ3-6シクロアルキルまたは(ＣＨ2)2-4ＮＲLＲMであり；
Ｒ10は、Ｈ、メチル、ハロゲンまたはＮＯ2であり；
Ｒ11は、Ｈ、メチル、ハロゲンまたはＮＯ2であり；
ＲC、ＲD、ＲE、ＲF、ＲI、ＲJ、ＲK、ＲLおよびＲMのそれぞれは、独立して、Ｈ、Ｃ1-4アルキル、Ｃ3-4アルケニル、Ｃ3-4アルキニル、Ｃ3-6シクロアルキルおよびフェニルから選択されたものであり；ＮＲCＲD、ＮＲEＲF、ＮＲJＲKおよびＮＲLＲMのそれぞれは、また独立してモルホリニル、ピペラジニル、ピロリジニルまたはピペリジニルであることができ；そして
ＲH、ＲNおよびＲOのそれぞれは、独立して、Ｈ、メチルまたはエチルであり；
上記のそれぞれの炭化水素基または複素環式基は、場合によっては、独立して、ハロゲン、Ｃ1-4アルキル、Ｃ3-6シクロアルキル、Ｃ3-4アルケニル、Ｃ3-4アルキニル、フェニル、ヒドロキシル、アミノ、(アミノ）スルホニルおよびＮＯ2から選択された１〜３個の置換分によって置換されていてもよくそしてそれぞれの置換分アルキル、シクロアルキル、アルケニル、アルキニルまたはフェニルは、場合によっては、独立してハロゲン、Ｃ1-2アルキル、ヒドロキシル、アミノおよびＮＯ2から選択された１〜３個の置換分によって置換されていてもよい。
【請求項２】  Ｑが式（i）である請求項１記載の化合物。
【請求項３】  Ｒ3がＨまたは弗素である請求項２記載の化合物。
【請求項４】  Ｒ4が弗素、塩素または臭素である請求項３記載の化合物。
【請求項５】  Ｒ10が水素、メチル、弗素または塩素である請求項１記載の化合物。
【請求項６】  Ｒ11がメチル、塩素、弗素、ニトロまたは水素である請求項１記載の化合物。
【請求項７】  Ｒ11がＨである請求項６記載の化合物。
【請求項８】  Ｒ11が弗素である請求項６記載の化合物。
【請求項９】  Ｒ10およびＲ11のそれぞれが弗素である請求項５記載の化合物。
【請求項１０】  Ｒ1がＨ、メチル、エチル、プロピル、イソプロピル、イソブチル、ベンジル、フェネチル、アリル、Ｃ3-5アルケニル、Ｃ3-6シクロアルキル、（Ｃ3-5シクロアルキル）Ｃ1-2アルキル、（Ｃ3-5複素環式基）Ｃ1-2アルキルまたは(ＣＨ2)2-4Ｎ
ＲCＲDである請求項１記載の化合物。
【請求項１１】  Ｒ1がＨまたは（Ｃ3-4シクロアルキル）Ｃ1-2アルキルである請求項１０記載の化合物。
【請求項１２】  Ｒ2がＨまたはメチルである請求項１記載の化合物。
【請求項１３】  ＲAが少なくとも１個のヒドロキシル置換分を有する請求項１記載の化合物。
【請求項１４】  ＲAがＨ、メチル、エチル、イソブチル、ヒドロキシエチル、フェニル、２−ピペリジン−１−イル−エチル、２,３−ジヒドロキシ−プロピル、３−〔４−（２−ヒドロキシエチル）−ピペラジン−１−イル−〕−プロピル、２−ピロリジン−１−イル−エチルまたは２−ジエチルアミノ−エチルでありそしてＲBがＨであるか、またはＲBがメチルでありそしてＲAがフェニルである請求項１記載の化合物。
【請求項１５】  ＷがＮＲAＲBまたはＮＲ2ＮＲAＲBである請求項１記載の化合物。
【請求項１６】  ＷがＮＲ2(ＣＨ2)2-4ＮＲAＲBまたはＯ(ＣＨ2)2-3ＮＲAＲBである請求項１記載の化合物。
【請求項１７】  ＷがＮＲ2ＯＲ1である請求項１記載の化合物。
【請求項１８】  ＷがＯＲBである請求項１記載の化合物。
【請求項１９】  Ｚが式(ｖ)である請求項１記載の化合物。
【請求項２０】  Ｘ1がＮＲ8でありそしてＲ7がＨである請求項１９記載の化合物。
【請求項２１】  構造７−フルオロ−６−（４−ヨード−２−メチル−フェニルアミノ）−１Ｈ−ベンゾイミダゾール−５−カルボン酸を有する請求項１記載の化合物。
【請求項２２】  ７−フルオロ−６−（４−ヨード−２−メチル−フェニルアミノ）−１Ｈ−ベンゾイミダゾール−５−カルボン酸；７−フルオロ−６−（４−ヨード−２−メチル−フェニルアミノ）−ベンゾオキサゾール−５−カルボン酸；７−フルオロ−６−（４−ヨード−２−メチル−フェニルアミノ）−ベンゾチアゾール−５−カルボン酸；７−フルオロ−６−（４−ヨード−２−メチル−フェニルアミノ）−ベンゾ〔１,２,５〕チアジアゾール−５−カルボン酸；７−フルオロ−６−（４−ヨード−２−メチル−フェニルアミノ）−ベンゾ〔１,２,５〕オキサジアゾール−５−カルボン酸；７−フルオロ−６−（４−ヨード−２−メチル−フェニルアミノ）−２−（２−ヒドロキシエチル）−１Ｈ−ベンゾイミダゾール−５−カルボン酸；７−フルオロ−６−（４−ヨード−２−メチル−フェニルアミノ）−２−（２−ジメチルアミノ−エチル）−１Ｈ−ベンゾイミダゾール−５−カルボン酸；７−フルオロ−６−（４−ヨード−２−メチル−フェニルアミノ）−１−アセチル−ベンゾイミダゾール−５−カルボン酸；８−フルオロ−７−（４−ヨード−２−メチル−フェニルアミノ）−キノキサリン−６−カルボン酸；および７−フルオロ−６−（４−ヨード−２−メチル−フェニルアミノ）−１Ｈ−ベンゾトリアゾール−５−カルボン酸；および相当するヒドロキサム酸およびシクロプロピルメチルヒドロキサメートから選択された請求項１記載の化合物。
【請求項２３】  請求項１記載の化合物および医薬的に許容し得る担体からなる医薬組成物。